(57)【要約】【課題】  フォークの間隔を調整する際に用いるシリンダ式のフォークシフト装置に於て、同調弁を用いずに左右のシフトシリンダを同調させる。【解決手段】  左右のシフトシリンダ４，５の直径を異ならせて大径シフトシリンダ４のロッド室側受圧面積Ｂと小径シフトシリンダ５のテール室側受圧面積Ｂとを等しくし、大径シフトシリンダ４のテール室側受圧面積Ａと小径シフトシリンダ５のロッド室側受圧面積Ｃとの差分に相当する受圧面積Ｄのシリンダ室１７を備えた差分シフトシリンダ６を小径シフトシリンダ５の作動を補うべく配設し、大径シフトシリンダ４のテール室１３と小径シフトシリンダ５のロッド室１６とを夫々給排管７，８で制御弁１８の二次側に接続し、大径シフトシリンダ４のロッド室１４と小径シフトシリンダ５のテール室１５とを連通管９で接続し、小径シフトシリンダ５のロッド室１６と差分シフトシリンダ６のシリンダ室１７とを導通管１０で接続する。【選択図】        図１
2010037017.tif 000002
【特許請求の範囲】
【請求項１】
昇降可能なキャリッジと、キャリッジに横動可能に設けられた左右のフォークと、一方のフォークを横動すベく設けられた大径シフトシリンダと、他方のフォークを横動すべく設けられてテール室側受圧面積が大径シフトシリンダのロッド室側受圧面積と等しくされた小径シフトシリンダと、小径シフトシリンダの作動を補うべく設けられて大径シフトシリンダのテール室側受圧面積と小径シフトシリンダのロッド室側受圧面積との差分に相当する受圧面積のシリンダ室を備えた差分シフトシリンダと、大径シフトシリンダのテール室と制御弁の二次側とを接続する大径シフトシリンダ給排管と、小径シフトシリンダのロッド室と制御弁の二次側とを接続する小径シフトシリンダ給排管と、大径シフトシリンダのロッド室と小径シフトシリンダのテール室とを接続する連通管と、小径のシフトシリンダのロッド室と差分シフトシリンダのシリンダ室とを接続する導通管と、から構成した事を特徴とするフォークシフト装置。
【請求項２】
差分シフトシリンダは、他方のフォークを中心として小径シフトシリンダとは左右対称状に設けられていると共に、ラムシリンダにしてある請求項１に記載のフォークシフト装置。
【請求項３】
大径シフトシリンダ給排管と小径シフトシリンダ給排管の少なくとも何れか一方と連通管との間は、絞り弁を備えた連絡管に依り接続されている請求項１に記載のフォークシフト装置。
【発明の詳細な説明】
【技術分野】
【０００１】
本発明は、例えばフォークリフト等の荷役車両に装備されて荷物の大きさに呼応してフォークの間隔を調整する際に用いられるシリンダ式のフォークシフト装置の改良に関する。
【背景技術】
【０００２】
従来、この種のシリンダ式のフォークシフト装置としては、例えば特許文献１に記載されたものが知られている。
当該フォークシフト装置は、昇降可能なキャリッジと、キャリッジに横動可能に設けられた左右のフォークと、キャリッジに左右対称状に設けられてフォークを横動する為の左右のシフトシリンダと、両シフトシリンダのテール室同士を連通して制御弁の二次側に接続するテール室側給排管と、両シフトシリンダのロッド室同士を連通して制御弁の二次側に接続するロッド室側給排管と、これら両給排管に設けられて左右のシフトシリンダを同調させる同調弁と、から構成されている。
【０００３】
【特許文献１】特開平１１−２０９０９２号公報
【発明の開示】
【発明が解決しようとする課題】
【０００４】
ところが、この様なものは、同調弁を用いなければ、左右のシフトシリンダを同調させる事ができなかった。この為、構造が複雑化してコストも高く付く難点があった。
【０００５】
本発明は、叙上の問題点に鑑み、これを解消する為に創案されたもので、その課題とする処は、同調弁を用いずに、左右のシフトシリンダを同調させる事ができるフォークシフト装置を提供するにある。
【課題を解決するための手段】
【０００６】
本発明のフォークシフト装置は、基本的には、昇降可能なキャリッジと、キャリッジに横動可能に設けられた左右のフォークと、一方のフォークを横動すベく設けられた大径シフトシリンダと、他方のフォークを横動すべく設けられてテール室側受圧面積が大径シフトシリンダのロッド室側受圧面積と等しくされた小径シフトシリンダと、小径シフトシリンダの作動を補うべく設けられて大径シフトシリンダのテール室側受圧面積と小径シフトシリンダのロッド室側受圧面積との差分に相当する受圧面積のシリンダ室を備えた差分シフトシリンダと、大径シフトシリンダのテール室と制御弁の二次側とを接続する大径シフトシリンダ給排管と、小径シフトシリンダのロッド室と制御弁の二次側とを接続する小径シフトシリンダ給排管と、大径シフトシリンダのロッド室と小径シフトシリンダのテール室とを接続する連通管と、小径のシフトシリンダのロッド室と差分シフトシリンダのシリンダ室とを接続する導通管と、から構成した事に特徴が存する。
【０００７】
制御弁を操作して小径シフトシリンダのロッド室に小径シフトシリンダ給排管を介して圧油を供給すると、小径シフトシリンダが短縮されて同側のフォークが外側（又は内側）に移動される。小径シフトシリンダが短縮されると、これのテール室の圧油が連通管を介して大径シフトトシリンダのロッド室に送られてこれが短縮される。大径シフトトシリンダが短縮されると、これのテール室の圧油が大径シフトトシリンダ給排管を介して制御弁に還流される。大径シフトトシリンダが短縮されると、同側のフォークが反対側のフォークとは対称状に外側（又は内側）に移動される。この為、左右のフォークは、一緒に外側（又は内側）に移動されてこれらの間隔が拡狭されて調節される。
この時、小径シフトシリンダ給排管から導通管を介して差分シフトシリンダのシリンダ室に圧油が供給されて差分シフトシリンダが小径シフトシリンダの作動方向と同じ方向に作動される。つまり、差分シフトシリンダの作動に依り小径シフトシリンダの短縮動作が補われる。
【０００８】
制御弁を操作して大径シフトシリンダのテール室に大径シフトシリンダ給排管を介して圧油を供給すると、大径シフトシリンダが伸長されて同側のフォークが内側（又は外側）に移動される。大径シフトシリンダが伸長されると、これのロッド室の圧油が連通管を介して小径シフトトシリンダのテール室に送られてこれが伸長される。小径シフトトシリンダが伸長されると、これのロッド室の圧油が小径シフトトシリンダ給排管を介して制御弁に還流される。小径シフトトシリンダが伸長されると、同側のフォークが反対側のフォークとは対称状に内側（又は外側）に移動される。この為、左右のフォークは、一緒に内側（又は外側）に移動されてこれらの間隔が拡狭されて調節される。
この時、差分シフトシリンダのシリンダ室の圧油が導通管から小径シフトシリンダ給排管を介して制御弁に還流されるので、差分シフトシリンダが小径シフトシリンダの作動方向と同じ方向に作動される。つまり、差分シフトシリンダの作動に依り小径シフトシリンダの伸長動作が補われる。
【０００９】
左右のシフトシリンダの直径を異ならせて大径シフトシリンダのロッド室側受圧面積と小径シフトシリンダのテール室側受圧面積とを等しくし、大径シフトシリンダのテール室と小径シフトシリンダのロッド室とを夫々給排管（大径シフトシリンダ給排管、小径シフトシリンダ給排管）で制御弁の二次側に接続し、大径シフトシリンダのロッド室と小径シフトシリンダのテール室とを連通管で接続したので、同調弁を用いる事なく、左右のフォークを同調して開閉する事ができる。
【００１０】
大径シフトシリンダのテール室側受圧面積と小径シフトシリンダのロッド室側受圧面積との差分に相当する受圧面積のシリンダ室を備えた差分シフトシリンダを小径シフトシリンダの作動を補うべく設けると共に、小径シフトシリンダのロッド室と差分シフトシリンダのシリンダ室とを導通管で接続したので、左右のフォークの開速度と閉速度とを同じにする事ができる。
【００１１】
差分シフトシリンダは、他方のフォークを中心として小径シフトシリンダとは左右対称状に設けられていると共に、ラムシリンダにしてあるのが好ましい。この様にすれば、構造の簡単化とコストの低減を図る事ができる。
【００１２】
大径シフトシリンダ給排管と小径シフトシリンダ給排管の少なくとも何れか一方と連通管とは、絞り弁を備えた連絡管に依り接続されているのが好ましい。この様にすれば、例えば大径シフトシリンダ給排管や小径シフトシリンダ給排管の圧油を連絡管に補給する事ができるので、大径シフトシリンダと小径シフトシリンダの直径が異なっていても、両者を確実に同期させる事ができる。
【発明の効果】
【００１３】
本発明に依れば、次の様な優れた効果を奏する事ができる。
（１）  キャリッジ、フォーク、大径シフトシリンダ、小径シフトシリンダ、差分シフトシリンダ、大径シフトシリンダ給排管、小径シフトシリンダ給排管、連通管、導通管とで構成し、とりわけ、左右のシフトシリンダの直径を異ならせて大径シフトシリンダのロッド室側受圧面積と小径シフトシリンダのテール室側受圧面積とを等しくし、大径シフトシリンダのテール室と小径シフトシリンダのロッド室とを夫々給排管で制御弁の二次側に接続すると共に、大径シフトシリンダのロッド室と小径シフトシリンダのテール室とを連通管で接続したので、同調弁を用いずに、左右のフォークの開閉を同調させる事ができる。
（２）  左右のシフトシリンダの直径を異ならせて大径シフトシリンダのロッド室側受圧面積と小径シフトシリンダのテール室側受圧面積とを等しくし、大径シフトシリンダのテール室と小径シフトシリンダのロッド室とを夫々給排管で制御弁の二次側に接続すると共に、大径シフトシリンダのロッド室と小径シフトシリンダのテール室とを連通管で接続したので、同調弁を用いた場合に比べて、左右のシフトシリンダの負荷が変動しても、これらを確実に同調させる事ができる。
（３）  小径シフトシリンダに依り横動されるフォークには、大径シフトシリンダのテール室側受圧面積と小径シフトシリンダのロッド室側受圧面積との差分に相当する受圧面積のシリンダ室を備えた差分シフトシリンダが小径シフトシリンダの作動を補うべく配設され、小径シフトシリンダのロッド室と差分シフトシリンダのシリンダ室とを導通管で接続したので、左右のフォークの開速度と閉速度とを同じにする事ができる。
【発明を実施するための最良の形態】
【００１４】
以下、本発明の実施の形態を、図面に基づいて説明する。
図１は、本発明のフォークシフト装置を示す概要背面図である。
【００１５】
フォークシフト装置１は、キャリッジ２、フォーク３、大径シフトシリンダ４、小径シフトシリンダ５、差分シフトシリンダ６、大径シフトシリンダ給排管７、小径シフトシリンダ給排管８、連通管９、導通管１０とからその主要部が構成されて居り、フォークリフト等の荷役車両に適用される。
【００１６】
キャリッジ２は、昇降可能なもので、図略しているが、左右のリフトブラケットと、これらの前側に設けられた上下のフィンガバーと、これらの端部どうしを連結すべく設けられた左右のサイドプレート等を備えている。
両リフトブラケットは、図略しているが、荷役車両の昇降装置（マスト装置）に依り昇降される様になっている。
【００１７】
フォーク３は、キャリッジ２に横動可能に設けられた左右のもので、略Ｌ型を呈し、垂直片１１と、これの下端から前方に延びる水平片１２とを備えて居り、垂直片１１がキャリッジ２のフィンガバーに横動可能に懸架されている。
【００１８】
大径シフトシリンダ４は、一方のフォーク３を横動すベく設けられたもので、シリンダ本体とピストンとピストンロッドから成るピストンシリンダ（複動型油圧シリンダ）にしてあり、受圧面積Ａのテール室１３と受圧面積Ｂのロッド室１４とを備えている。
大径シフトシリンダ４は、図１では、左側のフォーク３の左方に配されて左側のフォーク３を横動する様にしてあり、テール側がキャリッジ２に取付けられていると共に、ロッド側が左側のフォーク３に取付けられている。
大径シフトシリンダ４は、実際には、スペース上の関係から、図１に於て、左側のフォーク３の右側に配されてこれを移動する様にしてある。
【００１９】
小径シフトシリンダ５は、他方のフォーク３を横動すべく設けられてテール室側受圧面積Ｂが大径シフトシリンダ４のロッド室側受圧面積Ｂと等しくされたもので、大径シフトシリンダ４と同様に、シリンダ本体とピストンとピストンロッドから成るピストンシリンダ（複動型油圧シリンダ）にしてあり、受圧面積Ｂのテール室１５と受圧面積Ｃのロッド室１６とを備えている。
小径シフトシリンダ５は、図１では、右側のフォーク３の右方に配されて右側のフォーク３を横動する様にしてあり、テール側がキャリッジ２に取付けられていると共に、ロッド側がフォーク３に取付けられている。
小径シフトシリンダ５は、大径シフトシリンダ４と同様に、実際には、スペース上の関係から、図１に於て、右側のフォーク３の左方に配されてこれを移動する様にしてある。
【００２０】
差分シフトシリンダ６は、小径シフトシリンダ５の作動を補うべく設けられて大径シフトシリンダ４のテール室側受圧面積Ａと小径シフトシリンダ５のロッド室側受圧面積Ｃとの差分に相当する受圧面積Ｄ（Ｄ＝Ａ−Ｃ）のシリンダ室１７を備えたもので、ラムとシリンダから成るラムシリンダにしてあり、単一のシリンダ室１７を備えている。
差分シフトシリンダ６は、図１では、右側のフォーク３の左方に配されて右側のフォーク３を横動する様にしてあり、テール側がキャリッジ２に取付けられていると共に、ラム側がフォーク３に取付けられている。
差分シフトシリンダ６は、実際には、右側のフォーク３を中心として小径シフトシリンダ５とは反対の右側に配されて左右対称状となる様にしている。
【００２１】
大径シフトシリンダ給排管７は、大径シフトシリンダ４のテール室１３と制御弁１８の二次側のＡポートとを接続するものである。
【００２２】
小径シフトシリンダ給排管８は、小径シフトシリンダ４のロッド室１６と制御弁１８の二次側のＢポートとを接続するものである。
【００２３】
制御弁１８の一次側のＰポートは、ポンプ１９に接続されていると共に、制御弁１８の一次側のＴポートは、タンク２０に接続されている。
【００２４】
連通管９は、大径シフトシリンダ４のロッド室１４と小径シフトシリンダ５のテール室１５とを接続するものである。
【００２５】
導通管１０は、小径シフトシリンダ５のロッド室１６と差分シフトシリンダ６のシリンダ室１７とを接続するものである。
【００２６】
大径シフトシリンダ給排管７と連通管９との間、小径シフトシリンダ給排管８と連通管９との間は、夫々絞り弁２１を備えた連絡管２２に依り接続されている。
【００２７】
次に、この様な構成に基づいてその作用を述解する。
両フォーク３の間隔を拡げる（開く）場合は、制御弁１８を操作してポンプ１９からの圧油を小径シフトシリンダ給排管８を介して小径シフトシリンダ５のロッド室１６に供給する。そうすると、小径シフトシリンダ４が短縮されて同側のフォーク３が外側に移動される。小径シフトシリンダ５が短縮されると、これのテール室１５の圧油が連通管９を介して大径シフトシリンダ４のロッド室１４に送られてこれが短縮される。大径シフトシリンダ４が短縮されると、これのテール室１３の圧油が大径シフトシリンダ給排管７を介して制御弁１８からタンク２０に還流される。大径シフトシリンダ４が短縮されると、同側のフォーク３が外側に移動される。この為、左右のフォーク３は、図１の実線矢印で示す如く、一緒に外側に移動されてこれらの間隔が拡げられる。
この時、小径シフトシリンダ給排管８から導通管１０を介して差分シフトシリンダ６のシリンダ室１７に圧油が供給されて差分シフトシリンダ６が伸長され、小径シフトシリンダ５の作動方向と同じ方向に作動される。つまり、差分シフトシリンダ６の作動に依り小径シフトシリンダ５の短縮動作が補われる。
【００２８】
逆に、両フォーク３の間隔を狭める（閉じる）場合は、制御弁１８を操作してポンプ１９からの圧油を大径シフトシリンダ給排管７を介して大径シフトシリンダ４のテール室１３に供給する。そうすると、大径シフトシリンダ４が伸長されて同側のフォーク３が内側に移動される。大径シフトシリンダ４が伸長されると、これのロッド室１４の圧油が連通管９を介して小径シフトシリンダ５のテール室１５に送られてこれが伸長される。小径シフトシリンダ５が伸長されると、これのロッド室１６の圧油が小径シフトシリンダ給排管８を介して制御弁１８からタンク２０に還流される。小径シフトシリンダ５が伸長されると、同側のフォーク３が内側に移動される。この為、左右のフォーク３は、図１の鎖線矢印に示す如く、一緒に内側に移動されてこれらの間隔が狭められる。
この時、差分シフトシリンダ６のシリンダ室の圧油が導通管１０から小径シフトシリンダ給排管８を介して制御弁１８からタンク２０に還流されるので、差分シフトシリンダ６が短縮され、小径シフトシリンダ５の作動方向と同じ方向に作動される。つまり、差分シフトシリンダ６の作動に依り小径シフトシリンダ５の伸長動作が補われる。
【００２９】
左右のシフトシリンダ４，５の直径を異ならせて大径シフトシリンダ４のロッド室１４側受圧面積Ｂと小径シフトシリンダ５のテール室１５側受圧面積Ｂとを等しくし、大径シフトシリンダ４のテール室１３と小径シフトシリンダ５のロッド室１６とを夫々給排管（大径シフトシリンダ給排管、小径シフトシリンダ給排管）７，８で制御弁１８の二次側に接続し、大径シフトシリンダ４のロッド室１４と小径シフトシリンダ５のテール室１５とを連通管９で接続したので、同調弁を用いずに、左右のフォーク３を同調して開閉する事ができる。
【００３０】
大径シフトシリンダ４のテール室１３側受圧面積Ａと小径シフトシリンダ５のロッド室１６側受圧面積Ｃとの差分に相当する受圧面積Ｄのシリンダ室１７を備えた差分シフトシリンダ６を小径シフトシリンダ５の作動を補うべく設けると共に、小径シフトシリンダ５のロッド室１６と差分シフトシリンダ６のシリンダ室１７とを導通管１０で接続したので、左右のフォーク３の開速度と閉速度とを同じにする事ができる。
【００３１】
大径シフトシリンダ給排管７と連通管９との間、小径シフトシリンダ給排管８と連通管９との間は、夫々絞り弁２２を備えた連絡管２１が設けられているので、大径シフトシリンダ給排管７や小径シフトシリンダ給排管８からの圧油を連通管９に補給する事ができ、直径が異なる大径シフトシリンダ４と小径シフトシリンダ５とを確実に同期する事ができる。
【００３２】
尚、大径シフトシリンダ４と小径シフトシリンダ５は、先の例では、テール側をキャリッジ２に取付けたが、これに限らず、例えばロッド側をキャリッジ２に取付けても良い。
差分シフトシリンダ６は、先の例では、ラムシリンダであったが、これに限らず、例えば複動型や単動型のピストンシリンダでも良い。
差分シフトシリンダ６は、先の例では、フォーク３を挟んで小径シフトシリンダ５とは反対側に対向して配置したが、これに限らず、例えばピストンシリンダにしたならば、小径シフトシリンダ５と同方向に並列して配置しても良い。この場合、小径シフトシリンダ５のロッド室１６と同じ側のロッド室がシリンダ室１７となる。
絞り弁２１を備えた連絡管２２は、先の例では、大径シフトシリンダ給排管７と連通管９との間と、小径シフトシリンダ給排管８と連通管９との間に夫々設けたが、これに限らず、例えば何れか一方だけにしても良い。
【図面の簡単な説明】
【００３３】
【図１】本発明のフォークシフト装置を示す概要背面図。
【符号の説明】
【００３４】
１…フォークシフト装置、２…キャリッジ、３…フォーク、４…大径シフトシリンダ、５…小径シフトシリンダ、６…差分シフトシリンダ、７…大径シフトシリンダ給排管、８…小径シフトシリンダ給排管、９…連通管、１０…導通管、１１…垂直片、１２…水平片、１３…テール室、１４…ロッド室、１５…テール室、１６…ロッド室、１７…シリンダ室、１８…制御弁、１９…ポンプ、２０…タンク、２１…絞り弁、２２…連絡管、Ａ〜Ｄ…受圧面積。
【図１】
2010037017.tif 000003